(57)【要約】【課題】エレベータのピットに制御装置を設置し、設置された状態で点検し、かつ、ピット内の浸水による影響を未然に回避することにある。【解決手段】常時は引上げ機５からワイヤ６を用いて、エレベータピット４内の点検可能な位置にエレベータ制御装置１を吊下げ設定する。この場合にはピット内の雨水による浸水が問題になるが、浸水がピット内の制御装置に達する前にピット内の浸水を感知する浸水感知手段８を設け、浸水を感知すると浸水感知信号を送出する。この浸水感知信号を受けると、動力源９から引上げ機構５に所要の電力を供給し、制御装置を所定の高さ位置まで引き上げ、所定の時間後に電力供給を断とし、引上げ機構５にブレーキ７により制動力を与えて固定する。よって、ピットへの浸水時に制御装置を所定の高さ位置まで引き上げることにより、制御装置の故障等を未然に回避できる。【選択図】　　図１
2004067295.tif 000002
【特許請求の範囲】
【請求項１】
エレベータピット内の点検可能な位置に設定され、エレベータかごを昇降制御するエレベータ制御装置と、
常時は前記エレベータ制御装置を前記点検可能な位置に吊り下げる引上げ機構と、
前記ピット内の制御装置に達する前に浸水を感知する浸水感知手段と、
この浸水感知手段から浸水感知信号を受けた場合、所定時間の間、前記引上げ機構に電力を供給し、前記制御装置を所定の高さ位置まで引き上げる駆動手段と
を備えたことを特徴とするエレベータ制御装置引上げ装置。
【請求項２】
エレベータピット内の点検可能な位置に設定され、エレベータかごを昇降制御するエレベータ制御装置と、
つるべ式に掛け渡されたワイヤの一端側に前記制御装置が吊下げられ、かつ、当該ワイヤの他端側には当該制御装置とほぼ等しい重量もしくは軽量のつり合いおもりが吊下げられ、常時は前記エレベータ制御装置を前記点検可能な位置に設定する引上げ機構と、
前記ピット内の制御装置に達する前に浸水を感知する浸水感知手段と、
この浸水感知手段から浸水感知信号を受けた場合、前記引上げ機構に電力を供給し、かつ、前記つり合いおもりの重量を利用して前記制御装置を所定の高さ位置まで引き上げる駆動手段と
を備えたことを特徴とするエレベータ制御装置引上げ装置。
【請求項３】
エレベータピット内の点検可能な位置に設定され、エレベータかごを昇降制御するエレベータ制御装置と、
つるべ式に掛け渡されたワイヤの一端側に前記制御装置が吊下げられ、かつ、当該ワイヤの他端側には当該制御装置よりも高重量のつり合いおもりが吊下げられ、常時は制動力が付与された状態で前記エレベータ制御装置を前記点検可能な位置に設定する引上げ機構と、
前記ピット内の制御装置に達する前に浸水を感知する浸水感知手段と、
この浸水感知手段から浸水感知信号を受けた場合、前記制動力を解除して前記つり合いおもりの重量を利用して前記制御装置を所定の高さ位置まで引き上げる手段と
を備えたことを特徴とするエレベータ制御装置引上げ装置。
【請求項４】
請求項３に記載のエレベータ制御装置引上げ装置において、前記つり合いおもりの真下の所定位置に設けられ、前記制動力の解除による前記制御装置の引上げ速度の増加に伴なう当該つり合いおもりの急降下を抑制する緩衝部材を設けたことを特徴とするエレベータ制御装置引上げ装置。
【請求項５】
請求項１ないし請求項４の何れか一項に記載のエレベータ制御装置引上げ装置において、
前記制御装置が所定の高さ位置まで引き上げられたことを検知し、前記引上げ機構に供給される電力を遮断させる位置検出手段を設けたことを特徴とするエレベータ制御装置引上げ装置。
【請求項６】
エレベータピット内に設けられ、エレベータかごを昇降制御するエレベータ制御装置を点検可能な位置に設定する中間部分に開口部を有する固定装置と、
一端側が前記固定装置の開口部を経由して前記エレベータ制御装置と対峙し、他端側が押圧力を受けたときに伝達媒体を介して前記一端側のエレベータ制御装置を所定高さ位置まで押し上げるシリンダ機構と、
常時は前記シリンダ機構の他端側上部に配置され、所定重量のおもりを吊持する支持部材と、
前記ピット内の制御装置に達する前に浸水を感知する浸水感知手段と、
この浸水感知手段から浸水感知信号を受けた場合、前記支持部材から前記おもりを切り離し前記シリンダ機構の他端側に押圧力を付与する手段と
を備えたことを特徴とするエレベータ制御装置引上げ装置。
【請求項７】
請求項１ないし請求項４、請求項６の何れか一項に記載のエレベータ制御装置引上げ装置において、
前記浸水感知手段から浸水感知信号を受けた場合、前記エレベータかごの所定階着床指令を前記制御装置に送出し、前記所定階着床後のかご内乗客のかご降りを促す手段と、
前記制御装置からかご降りの確認に関する信号を受けた場合、前記引上げ機構に電力を供給し前記制御装置を引き上げる手段と、
前記制御装置が所定の高さ位置まで引き上げられたことを検知し、前記引上げ機構に供給する電力を遮断させる位置検出手段とを設けたことを特徴とするエレベータ制御装置引上げ装置。
【請求項８】
請求項７に記載のエレベータ制御装置引上げ装置において、前記位置検出手段からの検出信号に基づいて前記制御装置を所定の高さ位置まで引き上げ停止させた後、前記制御装置を経由して前記エレベータかごの運転を再開させる手段を設けたことを特徴とするエレベータ制御装置引上げ装置。
【発明の詳細な説明】
【０００１】
【発明の属する技術分野】
本発明は、エレベータのピット内に設置されるエレベータ制御装置を引き上げるエレベータ制御装置引上げ装置に関する。
【０００２】
【従来の技術】
一般に、エレベータは、昇降路の上部に機械室が設けられ、この機械室に巻上機およびエレベータ制御装置が設置されているが、近年、昇降路内部に巻上機およびエレベータ制御装置を設置し、昇降路上部の機械室を無くしたマシンルームレスシステムが採用されてきている。
【０００３】
このマシンルームレスシステムは、理想的にはピット内にエレベータ制御装置を設置することが望ましいが、雨水によるピット内の浸水によって非常に重要なエレベータ制御装置が故障することもあるので、ピット内の設置を避けて昇降路の最下階着床位置よりも高い位置に制御装置が設置されているのが現状である。
【０００４】
【発明が解決しようとする課題】
しかし、以上のように制御装置が最下階着床位置よりも高い位置に設置した場合、点検毎にピット内への制御装置の上げ下げがあり、またピット床より２ｍを越える高い位置のエレベータ制御装置に対して点検可能な点検台などを設置し、点検等の作業が行われている。
【０００５】
その結果、前者のエレベータ制御装置をピット内に下ろす場合、定期点検や故障毎にエレベータ制御装置を下ろす必要があるので、保守点検作業が非常に煩雑であること。また、定期点検毎に吊下げ機構を用意するとか、或いは専用の吊下げ機構を設置しなければならない。さらに、点検毎に上げ下げすることから、制御装置に接続されている配線が自在に動くために強固に作成しなければならない。
【０００６】
一方、後者の点検台を用いて点検作業を行う場合、高い点検台に上がって作業を進めなければならず、常に高所作業による危険が伴い、さらに作業環境が悪く、作業能率の面でも問題がある。
【０００７】
さらに、展望用エレベータにおいて、最下階着床位置よりも高い位置に制御装置を設置する場合、エレベータの美観を損なう問題がある。
【０００８】
本発明は上記事情に鑑みてなされたもので、ピット内にエレベータ制御装置を設置し、点検時の上げ下げや点検台を必要とせずに点検作業を実施可能にし、またピット内の浸水時に自動的に浸水から回避するエレベータ制御装置引上げ装置を提供することを目的とする。
【０００９】
【課題を解決するための手段】
（１）　上記課題を解決するために、本発明に係るエレベータ制御装置引上げ装置は、エレベータピット内の点検可能な位置に設定され、エレベータかごを昇降制御するエレベータ制御装置と、常時は前記エレベータ制御装置を前記点検可能な位置に吊り下げる引上げ機構と、前記ピット内の制御装置に達する前に浸水を感知する浸水感知手段と、この浸水感知手段から浸水感知信号を受けた場合、所定時間の間、前記引上げ機構に電力を供給し、前記制御装置を所定の高さ位置まで引き上げる駆動手段とを設けた構成である。
【００１０】
本発明は以上のような構成とすることにより、常時は点検可能な位置にエレベータ制御装置が吊り下げられているので、点検時にそのままの設置状態で点検作業を実施でき、雨水等の進入によりピット内が浸水したとき、浸水感知手段が浸水を感知し浸水感知信号を送出するので、駆動手段が引上げ機構に電力を供給し、所定の高さ位置例えば最下階着床位置より高めに引き上げるので、確実に浸水から回避でき、ひいては浸水による制御装置の故障を未然に防ぐことが可能である。
【００１１】
（２）　本発明に係わるエレベータ制御装置引上げ装置は、エレベータピット内の点検可能な位置に設定され、エレベータかごを昇降制御するエレベータ制御装置と、つるべ式に掛け渡されたワイヤの一端側に前記制御装置が吊下げられ、かつ、当該ワイヤの他端側には当該制御装置とほぼ等しい重量もしくは軽量のつり合いおもりが吊下げられ、常時は前記エレベータ制御装置を前記点検可能な位置に設定する引上げ機構と、前記ピット内の制御装置に達する前に浸水を感知する浸水感知手段と、この浸水感知手段から浸水感知信号を受けた場合、前記引上げ機構に電力を供給し、かつ、前記つり合いおもりの重量を利用して前記制御装置を所定の高さ位置まで引き上げる駆動手段とを設けた構成である。
【００１２】
本発明は以上のような構成とすることにより、前記（１）の構成により得られる作用効果に加え、つるべ式に掛け渡されたワイヤの一端側に制御装置を吊下げ、かつ、当該ワイヤの他端側に制御装置とほぼ等しい重量もしくは軽量のつり合いおもりを吊下げているので、ピット内の浸水時に駆動手段による電力の供給とつり合いおもりの重量を利用して制御装置を引き上げるので、少ない電力で制御装置を所定の高さ位置まで引き上げることが可能である。
【００１３】
（３）　本発明に係わるエレベータ制御装置引上げ装置は、エレベータピット内の点検可能な位置に設定され、エレベータかごを昇降制御するエレベータ制御装置と、つるべ式に掛け渡されたワイヤの一端側に前記制御装置が吊下げられ、かつ、当該ワイヤの他端側には当該制御装置よりも高重量のつり合いおもりが吊下げられ、常時は制動力が付与された状態で前記エレベータ制御装置を前記点検可能な位置に設定する引上げ機構と、前記ピット内の制御装置に達する前に浸水を感知する浸水感知手段と、この浸水感知手段から浸水感知信号を受けた場合、前記制動力を解除して前記つり合いおもりの重量を利用して前記制御装置を所定の高さ位置まで引き上げる手段とを設けた構成である。
【００１４】
本発明は以上のような構成とすることにより、前記（１）の構成により得られる作用効果に加え、ピット内の浸水時に浸水感知手段から浸水感知信号を受けたときに引上げ機構の制動力が解除されるので、つり合いおもりの重量だけで容易に制御装置を所定の高さ位置まで引き上げることが可能となり、さらに少ない電力で制御装置の引上げが可能となる。
【００１５】
なお、つり合いおもりの真下の所定位置に緩衝部材を設けておけば、制動力が解除されて重量台のつり合いおもりの急降下してきた場合でも、そのつり合いおもりの急降下を抑制し、衝撃を緩和しつつ制御装置を所定の高さ位置まで引き上げることが可能である。
【００１６】
また、以上のような構成に加え、例えば制御装置が所定の高さ位置まで引き上げられたことを検知する位置検出手段を設ければ、制御装置を所定の高さ位置に確実に引上げ可能となる。
【００１７】
（４）　さらに、本発明に係わるエレベータ制御装置引上げ装置は、エレベータピット内に設けられ、エレベータかごを昇降制御するエレベータ制御装置を点検可能な位置に設定する中間部分に開口部を有する固定装置と、一端側が前記固定装置の開口部を経由して前記エレベータ制御装置と対峙し、他端側が押圧力を受けたときに伝達媒体を介して前記一端側のエレベータ制御装置を所定高さ位置まで押し上げるシリンダ機構と、常時は前記シリンダ機構の他端側上部に配置され、所定重量のおもりを吊持する支持部材と、前記ピット内の制御装置に達する前に浸水を感知する浸水感知手段と、この浸水感知手段から浸水感知信号を受けた場合、前記支持部材から前記おもりを切り離し前記シリンダ機構の他端側に押圧力を付与する手段とを設けた構成である。
【００１８】
本発明は以上のような構成とすることにより、ピット内浸水時に浸水感知手段からの浸水感知信号を受けて、支持部材からおもりを切り離しシリンダ機構の他端側に押圧力を付与するので、伝達媒体を通してシリンダ機構の一端側アームによりエレベータ制御装置を所定高さ位置まで押し上げることが可能である。
【００１９】
（５）　さらに、本発明に係わるエレベータ制御装置引上げ装置は、以上のような構成に加え、前記浸水感知手段から浸水感知信号を受けた場合、前記エレベータかごの所定階着床指令を前記制御装置に送出し、前記所定階着床後のかご内乗客のかご降りを促す手段と、前記制御装置からかご降りの確認に関する信号を受けた場合、前記引上げ機構に電力を供給し前記制御装置を引き上げる手段と、前記制御装置が所定の高さ位置まで引き上げられたことを検知し、前記引上げ機構に供給する電力を遮断させる位置検出手段とを設けることにより、乗客を安全な階に降ろした後、制御装置を所定の高さ位置まで引き上げるので、乗客の安全およびエレベータの信頼性を向上できる。
【００２０】
さらに、以上の構成に加え、位置検出手段からの検出信号に基づいて制御装置を所定の高さ位置まで引き上げ停止させた後、制御装置を経由してエレベータかごの運転を再開させる手段を設けることにより、ピット浸水時であっても安全な階を利用してエレベータかごを運転でき、浸水による影響を最小限に留めることが可能となる。
【００２１】
【発明の実施の形態】
以下、本発明の実施の形態について図面を参照して説明する。
【００２２】
図１は本発明に係わるエレベータ制御装置引上げ装置の一実施の形態を示す構成図である。
【００２３】
同図において１はエレベータかご２を昇降制御するエレベータ制御装置であって、最下階着床位置３よりも下側に形成されるエレベータのピット４内に設置されている。５はエレベータ制御装置１に接続されているワイヤ６を巻き上げる引上げ機構であって、この引上げ機構５にはブレーキ７が設けられている。８は浸水感知器であって、エレベータ制御装置１よりも下位に設けられ、雨水等のピット４内進入によってピット内が所定レベルまで浸水したとき、浸水感知信号を出力する機能をもっている。９は引上げ機構５に電力を供給する動力源であって、この動力源９の出力側にはタイマー付きスイッチ回路１０を経由して引上げ機構５およびブレーキ７に接続されている。このタイマー付きスイッチ回路１０は浸水感知器８から浸水感知信号を受けたときオン動作し、所定時間経過後に自動的にオフ動作を行う機能をもっている。
【００２４】
なお、これら動力源９、タイマー付きスイッチ回路１０等は引上げ機構５を駆動する役割をもっている。
【００２５】
次に、以上のような構成のエレベータ制御装置引上げ装置の動作について説明する。
【００２６】
豪雨などにより雨水等がピット４内に進入し、その浸水量が所定量に達すると、浸水感知器８は、エレベータ制御装置１が浸水状態にあることを感知し、浸水感知信号をタイマー付きスイッチ回路１０に送出する。このスイッチ回路１０は、浸水感知器８から浸水感知信号を受けてオン動作するとともに、タイマーの時間計測動作を開始させる。このスイッチ回路１０がオン動作すると、動力源９から所定の電力がブレーキ７を含む引上げ機構５に供給される。
【００２７】
その結果、常時は引上げ機構５に制動力を付与していたブレーキ７が開放され、引上げ機構５が引上げ駆動を開始し、ワイヤ６を巻き上げることにより、エレベータ制御装置１を最下階着床位置３よりも高い所定の位置まで引き上げていく。このとき、タイマー付きスイッチ回路１０は、オン動作後の時間を計測し、予め定める設定時間を越えたとき自動的にオフ動作し、動力源９から引上げ機構５への電源供給ラインを遮断する。この電源供給ラインの遮断と同時にブレーキ７の制動力が付与され、引上げ機構５の回転動作が停止する。
【００２８】
従って、以上のような実施の形態によれば、常にピット４内にエレベータ制御装置１が設置されているので、点検時にそのままの設置状態で保守点検が可能となり、非常に点検作業が容易となる。
【００２９】
また、雨水のピット４内進入時、自動的に引上げ機構５が引上げ駆動を開始し、エレベータ制御装置１を引き上げるので、制御装置１が人為的な操作を必要とせずに浸水から回避でき、ひいては制御装置１の故障を防止できる。
【００３０】
さらに、屋外設置の展望用エレベータのごとき場合、特に浸水の問題が多いが、ピット４内にエレベータ制御装置１を設置することにより、外から見たときの美観に優れたエレベータを構築できる。
【００３１】
さらに、点検時、ピット内に設置した状態でエレベータ制御装置１を含むエレベータ全体の保守点検が実施できるので、点検作業時の危険性を容易に回避できる。
【００３２】
図２は本発明に係わるエレベータ制御装置引上げ装置の他の実施形態を示す構成図である。なお、同図において図１と同様な構成部分については同一の符号を付し、図１の説明に譲る。
【００３３】
この発明において特に異なるところは、最下階着床位置３よりも高い所要の位置に設けられ、エレベータ制御装置１が所定の高さまで引き上げられたことを検出する引上げ位置検出器１１と、引上げ機構５への電源供給ラインに設けられ、引上げ位置検出器１１から検出信号を受けたときに電源供給ラインを自動的に遮断し、ブレーキ７による制動力を引上げ機５に付与させる電源断用スイッチ回路１２とが設けられている。
【００３４】
なお、浸水感知器８の浸水探知信号「１」と引上げ位置検出器１１の未検出信号「１」のとき、スイッチ回路１０をオン動作し、浸水感知器８の浸水探知信号「１」と引上げ位置検出器１１の検出信号「０」のとき、スイッチ回路１０をオフ動作するような論理条件信号をスイッチ回路１０に送出するようにすれば、電源断用スイッチ回路１２なし、つまりスイッチ回路１０だけで同様の動作を実現できるものである。
【００３５】
従って、以上のような構成によれば、図１に示す動作に加え、引上げ機構５を用いてエレベータ制御装置１を引き上げている時、当該制御装置１が最下階着床位置よりも高い所定の位置まで引き上げられたとき、引上げ位置検出器１から電源断用スイッチ回路１２に位置検出信号が送出される。この電源断用スイッチ回路１２は、位置検出信号を受けると、自動的に電源供給ラインを遮断するので、動力源９からの電力が途絶えると同時にブレーキ７が働いて引上げ機構５の回転が停止する。
【００３６】
よって、以上のような実施の形態によれば、図１に示す引上げ装置の効果に加え、ピット４内の浸水時に制御装置１を所要とする位置まで確実に引き上げることができ、しかも制御装置１を引き上げた後、早期に電源を遮断するので、安全性、信頼性が向上する。
【００３７】
図３は本発明に係わるエレベータ制御装置引上げ装置のさらに他の実施形態を示す構成図である。なお、同図において図１，図２と同様な構成部分については同一の符号を付し、それらの図の説明に譲る。
【００３８】
この発明において特に異なるところは、引上げ機構５に掛け渡されたワイヤ６の一端側にエレベータ制御装置１を吊下げ、当該ワイヤ６の他端側にエレベータ制御装置１の重量と同程度もしくは軽量のつり合いおもり２１が吊下げられている。
【００３９】
このような構成によれば、前述する図１，図２と同様の効果に加え、エレベータ制御装置１とつり合いおもり２１とが同程度の重量に設定されているので、動力源９から供給される電力は僅かで済み、小形、かつ、小容量の動力源９によりエレベータ制御装置１を所定の高さ位置まで引き上げることができる。
【００４０】
図４は本発明に係わるエレベータ制御装置引上げ装置のさらに他の実施形態を示す構成図である。なお、同図において図１ないし図３と同様な構成部分については同一の符号を付し、それらの図の説明に譲る。
【００４１】
このエレベータ制御装置引上げ装置において、特に異なるところは、新たにエレベータ制御装置１、浸水感知器８および位置検出器１１の各出力と連携をとりながら所定の処理を実行する信号処理装置３１を設けたことにある。３２はエレベータ駆動用巻上機、３３はエレベータかごつり合いおもりである。なお、信号処理装置３１は、後述するように必要な処理を実行するので、スイッチ回路１０としてはタイマーなしのものが使用される。
【００４２】
この信号処理装置３１は、図５、図６の何れか１つの処理を実行するものである。
【００４３】
（１）　その１つの処理例について図５を参照して説明する。
【００４４】
先ず、信号処理装置３１は、雨水等がピット４内に浸水したか否かを判断する（Ｓ１）。ピット内が所定量の浸水状態にあれば、浸水感知器８から浸水感知信号を受けるので、ピット内、ひいては制御装置１が浸水の危険ありと判断する。浸水感知器８から浸水感知信号が受けていない場合には非浸水と判断し、所定の周期ごとに浸水の有無について繰り返し判断する。
【００４５】
ステップＳ１において、ピット内が所要量の浸水と判断すると、信号処理装置３１は、制御装置１の安全な場所となるサービス階着床指令を制御装置１に送出する。エレベータ制御装置１は、信号処理装置３１からサービス階着床指令を受けると、エレベータかご巻上機３２を駆動制御し、エレベータかご２をサービス階に着床させる（Ｓ２）。そして、このかご着床と同時にサービス階に降ろすための表示灯の点灯やかご内照明の消灯、メッセージをアナウンスするなど、乗客の案内誘導に関する内容を報知する（Ｓ３）。この案内誘導等に従ってエレベータかご２から乗客がサービス階に降りる。
【００４６】
通常、エレベータかご２のかごドアが開き、案内誘導を含めて１５秒程度で乗客が降りるので、かごドアが閉じる。従って、かごドア閉信号、ドア開ボタンからのドア開無し信号或いは１５秒を越える所定の時間後、制御装置１から降車完了指示を受けると、信号処理装置３１は、浸水感知器８からの浸水感知信号に基づく信号をスイッチ回路１０に送出する。
【００４７】
ここで、スイッチ回路１０は、浸水感知信号を受けるとオン動作し、動力源９から所要の電力を引上げ機構５およびブレーキ７に供給し、当該ブレーキ７の開放により引上げ機構５が回転駆動し、引上げ方向に回転させることによりエレベータ制御装置１の引上げを実行する（Ｓ４）。
【００４８】
そして、エレベータ制御装置１が所定の高さ位置まで引き上げると、位置検出器１１が動作し、位置検出信号を送出する。信号処理装置３１は、位置検出信号を受けると、制御装置引上げ完了と判断し（Ｓ５）、引上げ動作を完了する。つまり、信号処理装置３１は、オフ動作指令をスイッチ回路１０に送出し、電源供給ラインを遮断する。
【００４９】
従って、以上のような一連の処理を実行することにより、前述する各実施の形態と同様の効果を奏する他、ピット内が浸水されたとき、エレベータ乗りかご２を安全なサービス階に着床させ、かご内の乗客を降ろした後、エレベータかご２を停止し、乗客の安全を確保した後、エレベータ制御装置１を所定の高さ位置まで引き上げるので、乗客を閉じ込めたり、怪我を負わせる心配がなく、乗りかご２内の乗客を安全、かつ、確実に降ろすことができ、より信頼性の高いエレベータを実現できる。
【００５０】
（２）　他の１つの処理例について図６を参照して説明する。
【００５１】
この処理例においては、ステップＳ１〜Ｓ５までは図５と同様な処理を実行するが、エレベータ制御装置１が所定の高さ位置まで引き上げて引き上げ完了となると、ピット浸水時の運転サービスを実行する（Ｓ６）。このピット浸水時の運転サービスは、通常の場合と同等の運転を行う方法と最下階着床サービスを無効とする運転を行う方法がある。
【００５２】
従って、以上のような実施の形態によれば、前述する各実施の形態と同様な効果を奏する他、ピット内浸水にもかかわらず、安全階どうしのエレベータ運転を継続するので、安全な階を利用してエレベータかご２を運転するので、影響を最小限に押さえつつ乗客の利用に供することが可能である。
【００５３】
図７は本発明に係わるエレベータ制御装置引上げ装置のさらに他の実施形態を示す構成図である。なお、同図において図１ないし図４と同様な構成部分については同一の符号を付し、それらの図の説明に譲る。さらに、信号処理装置３１等については図５、図６と同様な処理を実行する。
【００５４】
この実施の形態において特に異なるところは、引上げ機構５の代わりにプーリ４１を設けたこと、またつり合いおもり２１の重量をエレベータ制御装置１の重量よりも少し重くし、つり合いおもり２１の重量によりエレベータ制御装置１を上方に引張るような構成とする。また、プーリ４１には当該プーリ４１に制動力を与えるためのブレーキ４２が設けられている。
【００５５】
この制御装置引上げ装置においては、浸水感知器８がピット内の所定量の浸水状態を感知すると、浸水感知信号を信号処理装置３１に送出する。この信号処理装置３１は、図５または図６と同様な処理を実行し、エレベータかご２を安全なサービス階に着床させて乗客を降ろした後、浸水感知信号の基づく信号をスイッチ回路１０に送出し、オン動作により電源供給ラインを形成する。
【００５６】
通常、ブレーキ４２は、プーリ４１を固定する制動力が与えられているが、スイッチ回路１０がオン動作し動力源９から電力が供給されると、ブレーキ４２が開放状態となる。その結果、つり合いおもり２１の重量がエレベータ制御装置１の重量よりも重くなっているので、つり合いおもり２１に引張られてエレベータ制御装置１が徐々に引き上げられて行く。
【００５７】
エレベータ制御装置１が所定の高さ位置まで引き上げられると、位置検出器１１が動作し、位置検出信号を送出する。信号処理装置３１は、位置検出信号を受けると、制御装置１の引上げ完了と判断し（Ｓ５）、引上げ動作を完了する。つまり、信号処理装置３１は、オフ動作信号をスイッチ回路１０に送出し、電源供給ラインを遮断する。
【００５８】
従って、以上のような実施の形態によれば、上述する各実施の形態と同様な効果を有する他、ブレーキ４２を開放したとき、つり合いおもり２１の自重によってエレベータ制御装置１を引き上げるので、何らエレベータ制御装置１の引上げのために電力を消費すること無く、エレベータ制御装置１を引き上げることができる。
【００５９】
図８は本発明に係わる本発明に係わるエレベータ制御装置引上げ装置のさらに他の実施形態を示す構成図である。なお、同図において図１ないし図４、図７と同様な構成部分については同一の符号を付し、それらの図の説明に譲る。さらに、信号処理装置３１等については図５、図６と同様な処理を実行する。
【００６０】
この実施の形態において特に異なるところは、つり合いおもり２１の自重によるエレベータ制御装置１の急激な速度上昇を回避するために、つり合いおもり２１の真下に所要の間隔を有してバネなどの緩衝部材５１を配置し、エレベータ制御装置１の上昇に伴なってつり合いおもり２１が緩衝部材５１に当接すると、エレベータ制御装置１の速度上昇が抑制され、エレベータ制御装置１が所定の高さ位置に達する程度の高さで容易に停止するように設定する。そして、エレベータ制御装置１の所定高さ位置への到達は位置検出器１１により検出し、信号処理装置３１に送出する。
【００６１】
従って、以上のような実施の形態では、ピット内の浸水に伴なって信号処理装置３１からオン動作信号を送出し、スイッチ回路１０のオン動作による動力源９の電力供給によりプーリ固定用ブレーキ４２が開放されると、つり合いおもり２１とエレベータ制御装置１とのアンバランスにより、エレベータ制御装置１がつり合いおもり２１側に引張られて移動する。
【００６２】
このとき、緩衝部材５１が存在しない場合、エレベータ制御装置１の上昇速度は加速度的に上昇するが、緩衝部材５１を設けることにより、移動速度が抑制される。制御装置１が最下階着床位置よりも高い所定の位置まで上昇すると、位置検出器１１の位置検出に基づいてスイッチ回路１０がオフ動作し、プーリ４１がブレーキ４２の制動力により固定する。よって、エレベータ制御装置１の引上げに何ら電力を消費させることが無いばかりか、つり合いおもり２１の影響を徐々に減殺し、エレベータ制御装置１を少ない衝撃で所定の高さ位置に確実に停止させることが可能である。
【００６３】
図９は本発明に係わる本発明に係わるエレベータ制御装置引上げ装置のさらに他の実施形態を示す構成図である。なお、同図において図１ないし図４、図７と同様な構成部分については同一の符号を付し、それらの図の説明に譲る。さらに、信号処理装置３１等については図５、図６と同様な処理を実行する。
【００６４】
このエレベータ制御装置引上げ装置は、ピット４内の所定位置に固定装置６１が設置され、固定装置６１にエレベータ制御装置１が載置される。従って、常時は固定装置６１上のエレベータ制御装置１は点検可能な位置に設定されている。この固定装置６１はそのほぼ中央部分に開口部が形成され、シリンダ機構６２の一端側アームであるプランジャ６３が開口部を介してエレベータ制御装置１と対峙するように設けられている。シリンダ機構６２はＵ字形状に形成され、当該シリンダ機構６２の他端側アームであるプランジャ６４がプランジャ６３と同様に上向きに設定されている。このシリンダ機構６２は、内部に油、空気、水等の伝達媒体６５が充填され、プランジャ６４に外力が加わると、伝達媒体６５を介してプランジャ６３がエレベータ制御装置１を押し上げる構成となっている。
【００６５】
６６はプランジャ６４上方の所要位置に取付けられ、支点を中心に回動するＬ状支持部材であって、この支持部材６６におもり６７が吊持されている。一方、支持部材６６の上端部近傍には電磁コイル６８が設けられ、所要の電力の供給を受けると、支持部材６６を吸着し、おもり６７の吊持を解除する構成である。この電磁コイル６８と動力源９との間にはタイマー付きスイッチ回路１０が介在されている。
【００６６】
従って、この実施の形態では、浸水感知器８から浸水感知信号が送出されたとき、信号処理装置３１は、図５、図６の一連の処理を実行した後、スイッチ回路１０にオン動作指令を送出し、動力源９から所要の電力を電磁コイル６８に供給する。電磁コイル６８は所要の電力をうけて励磁され支持部材６６の上端を吸着する。その結果、支持部材６６が支点を中心に所要の角度回動し、当該支持部材６６の下端の爪部に吊持されているおもり６７が切り離され、真下に降下する。この真下にはシリンダ機構６２の他端側アームであるプランジャ６４が位置しているので、当該プランジャ６４が降下するおもり６７の押圧力を受け、伝達媒体６５を介してシリンダ機構６２の一端側アームであるプランジャ６３が前進し、所定の高さ位置までエレベータ制御装置１を持ち上げるので、エレベータ制御装置１がピット内の浸水から保護することができる。
【００６７】
なお、本願発明は、上記実施の形態に限定されるものでなく、その要旨を逸脱しない範囲で種々変形して実施できる。上記実施の形態では、基本的には、メインロープ５の中心線を挟んでエレベータかご底部の吊下げ部材取付位置とは反対側に１つのバランスウェイト駆動系２０を設置したが、例えば前述する線３２上にメインロープ５の中心線を挟んで両側にバランスウェイト駆動系２０を設置する構成であってもよい。
【００６８】
また、各実施の形態は可能な限り組み合わせて実施することが可能であり、その場合には組み合わせによる効果が得られる。さらに、上記各実施の形態には種々の上位，下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【００６９】
【発明の効果】
以上説明したように本発明によれば、ピット内にエレベータ制御装置を設置することにより、点検時に上げ下げせず、また点検台を必要とせずに保守点検作業を実施でき、またピット内の浸水時に自動的に浸水から回避するエレベータ制御装置引上げ装置を提供できる。
【図面の簡単な説明】
【図１】本発明に係るエレベータ制御装置引上げ装置の一実施の形態を示す構成図。
【図２】本発明に係るエレベータ制御装置引上げ装置の他の実施形態を示す構成図。
【図３】同じく本発明に係るエレベータ制御装置引上げ装置の他の実施形態を示す構成図。
【図４】本発明に係るエレベータ制御装置引上げ装置の他の実施形態を示す構成図。
【図５】図４に示す信号処理装置とエレベータ制御装置の連携処理の一例を説明するフローチャート。
【図６】図４に示す信号処理装置とエレベータ制御装置の連携処理の他の例を説明するフローチャート。
【図７】本発明に係るエレベータ制御装置引上げ装置の他の実施形態を示す構成図。
【図８】同じく本発明に係るエレベータ制御装置引上げ装置の他の実施形態を示す構成図。
【図９】本発明に係るエレベータ制御装置引上げ装置の他の実施形態を示す構成図。
【符号の説明】
１…エレベータ制御装置
２…エレベータかご
４…ピット
５…引上げ機
６…ワイヤ
７…ブレーキ
８…浸水感知器
９…動力源
１０…スイッチ回路
１１…位置検出器
１２…電源断用スイッチ
２１…つり合いおもり
３１…信号処理装置
４１…プーリ
４２…ブレーキ
５１…緩衝部材
６１…固定装置
６２…シリンダ機構
６３，６４…プランジャ
６６…支持部材
６７…おもり
６８…電磁コイル
【図１】
2004067295.tif 000003
【図２】
2004067295.tif 000004
【図３】
2004067295.tif 000005
【図４】
2004067295.tif 000006
【図５】
2004067295.tif 000007
【図６】
2004067295.tif 000008
【図７】
2004067295.tif 000009
【図８】
2004067295.tif 000010
【図９】
2004067295.tif 000011